【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
ロール状物を受け止めて保持するロール状物の受具であって、受具本体と該受具本体の内側に挿入される補強板とからなり、ロール状物を前記受具本体の天壁部の上に載せたときに、該天壁部がロール状物のロール円に沿って下方に円弧形状に湾曲して前記ロール状物を受け入れると共に前記受具本体の内側に入れた補強板の両側の起立部が前記受具本体の両側壁部を内側から補強する構成としたことを特徴とするロール状物の受具。
【請求項２】
受具本体は、天壁部と左右両側壁部の他、底壁部を有する断面略長方形状の筒状体からなると共にその筒状体の折り畳みを自在に形成し、補強版は、中央部の両側に立ち起こし自在の起立部を形成し、該補強板を着脱自在に前記受具本体の内側に挿入することで、該受具本体の筒状体の底壁部を補強版の中央部で補強すると共に受具本体の両側壁部を補強板の起立部で内側から補強する構成とし、且つロール状物を受具本体の天壁部に載せた際に、該受部本体の天壁部が下方に湾曲して前記ロール状物を受け入れると共に受具本体の両壁部でロール状物の側部を両側から支える構成としていることを特徴とする請求項１に記載のロール状物の受具。
【請求項３】
ロール状物を受具本体の天壁部に載せたときに、該天壁部がロール状物のロール円に沿った円弧形状に湾曲して底壁部に到達すると共に、受具本体の両側壁部が内側に傾いてロール状物を支持する構成としていることを特徴とする請求項２に記載のロール状物の受具。
【請求項４】
受具本体と補強板は、ダンボール紙で構成していることを特徴とする請求項１〜３の何れかに記載のロール状物の受具。
【手続補正２】
【補正対象書類名】明細書
【補正対象項目名】０００５
【補正方法】変更
【補正の内容】
【０００５】
上記課題を達成するための本発明のロール状物の受具は、受具本体と該受具本体の内側に挿入される補強板とからなり、ロール状物を前記受具本体の天壁部の上に載せたときに、該天壁部がロール状物のロール円に沿って下方に円弧形状に湾曲して前記ロール状物を受け入れると共に前記受具本体の内側に入れた補強板の両側の起立部が前記受具本体の両側壁部を内側から補強する構成としたことを第１の特徴としている。
また本発明のロール状物の受具は、上記第１の特徴に加えて、受具本体は、天壁部と左右両側壁部の他、底壁部を有する断面略長方形状の筒状体からなると共にその筒状体の折り畳みを自在に形成し、補強板は、中央部の両側に立ち起こし自在の起立部を形成し、該補強板を着脱自在に前記受具本体の内側に挿入することで、該受具本体の筒状体の底壁部を補強板の中央部で補強すると共に受具本体の両側壁部を補強板の起立部で内側から補強する構成とし、且つロール状物を受具本体の天壁部に載せた際に、該受部本体の天壁部が下方に湾曲して前記ロール状物を受け入れると共に受具本体の両壁部でロール状物の側部を両側から支える構成としていることを第２の特徴としている。
また本発明のロール状物の受具は、上記第２の特徴に加えて、ロール状物を受具本体の天壁部に載せたときに、該天壁部がロール状物のロール円に沿った円弧形状に湾曲して底壁部に到達すると共に、受具本体の両側壁部が内側に傾いてロール状物を支持する構成としていることを第３の特徴としている。
また本発明のロール状物の受具は、上記第１〜第３の何れかの特徴に加えて、受具本体と補強板は、ダンボール紙で構成していることを第４の特徴としている。
【手続補正３】
【補正対象書類名】明細書
【補正対象項目名】０００６
【補正方法】変更
【補正の内容】
【０００６】
請求項１に記載のロール状物の受具によれば、このロール状物の受具は受具本体と補強板とからなる。補強板は受具本体の内側に挿入される。ロール状物を前記受具本体の天壁部の上に載せると、該天壁部がロール状物のロール円に沿って下方に円弧形状に湾曲して前記ロール状物を受け入れる。そして受具本体の内側に入れた補強板の両側の起立部が前記受具本体の両側壁部を内側から補強する。
よって請求項１の受具によれば、ロール状物を安定して受け止めて保持することができる。
また受具は２つの部材からなり、且つ何れの部材も単純な構成によるものであるので、コスト低減を図れる。
【手続補正４】
【補正対象書類名】明細書
【補正対象項目名】０００７
【補正方法】変更
【補正の内容】
【０００７】
また請求項２に記載のロール状物の受具によれば、上記請求項１に記載の構成による作用効果に加えて、受具の組み立ての際には、受具本体を折り畳んだ状態から左右両側壁部を立ち上げて、断面略長方形状の筒状体とし、また補強板の両側の起立部を立ち起こし、この起立部を立ち起こした補強板を受具本体の内側に挿入する。これによって受具本体の底壁部が補強板の中央部で補強され、また受具本体の両側壁部が補強板の起立部で内側から補強された受具が組み立てられる。組み立てられた受具の天壁部にロール状物を載せることで、該天壁部が下方に湾曲し、ロール状物を沈んだ状態に受け入れる。また受け入れられたロール状物を補強された受具の両側壁部が両側から支持する。これによってロール状物が受具によって受け止められた状体に保持される。
受具本体は、組み立て前において平板状態に折り畳まれた状態にして保管しておくことができる。同様に補強板も組み立て前においては平板状態にして保管しておくことができる。勿論、受具としての使用を終えた分解後もそれぞれ平板状態とし、保管若しくは廃棄することができる。よって使用している間以外は、分解された、非常に嵩が低い平板状の２部材があるだけとなり、非常に省スペースである。
また組み立ては、起立部を立ち起こした補強板を、同じく立ち起こして筒状体とした受具本体の内側に挿入するだけの作業であるので、作業が非常に簡単で、スムーズに効率よく、短時間で行える。勿論、分解作業も補強板を抜き出すだけであるので、非常に簡単で、容易である。
ロール状物を載せた状態では、天壁部が下方に湾曲してロール状物を受け止め、しかも天壁部が下方に湾曲することで両壁部がそれぞれ内側に引っ張られた状態となり、ロール状物が外側へ転がるのを防止して、両側から支持する。これによって、ロール状物は容易に転がることなく安定した停止状態に保持される。
その他、受具は略長方形状となるので、複数個を密に並列させることができる。よって複数個のロール状物を密に並べてコンパクトに保持することができる。また梱包用の箱に本発明の受具を密に整列させて収納して、複数のロール状物を密に梱包することができる。
【手続補正５】
【補正対象書類名】明細書
【補正対象項目名】０００８
【補正方法】変更
【補正の内容】
【０００８】
また請求項３に記載のロール状物の受具によれば、上記請求項２に記載の構成による作用効果に加えて、ロール状物を受具本体の天壁部に載せたときに、該天壁部がロール状物のロール円に沿った円弧形状に湾曲して底壁部に到達すると共に、受具本体の両側壁部が内側に傾いてロール状物を支持する構成としているので、
ロール状物と湾曲した天壁部との間に隙間が生じないので、隙間が生じることによるロール状物のガタツキを防止することができ、ロール状物を運搬する際にも、より安定して確実にロール状物を保持することができる。加えて、天壁部の湾曲により受具本体の両側壁部が内側に引っ張られて傾いた状態となることで、ロール状物の外側への転がりに対する阻止力が向上し、より確実に安定してロール状物を保持することができる。
【手続補正６】
【補正対象書類名】明細書
【補正対象項目名】０００９
【補正方法】変更
【補正の内容】
【０００９】
また請求項４に記載のロール状物の受具によれば、上記請求項１〜３の何れかに記載の構成のよる作用効果に加えて、受具本体と補強板は、ダンボール紙で構成しているので、ダンボール紙が有する弾力性と変形能により、ロール状物を安定して受け止め、保持することができる。またダンボール紙であるので、運搬においても軽量となり、製造コストが経済的で、廃棄も容易である。またダンボール紙による厚みとダンボールが有する２重構造により、補強板の起立部を立ち起こした際に、その起立部がそれ以上内側へ傾倒するのに対する抵抗力が生じる。よって補強板が重合された受具の両側壁部によるロール状物に対する支持力を向上させることができる。勿論、補強板を軽量、低コスト、廃棄が容易に構成することができる。